(57)【特許請求の範囲】
【請求項１】
磁気ディスクを挟持する一対の磁気ヘッドと、該一対の磁気ヘッドをそれぞれ保持する一対のキャリッジと、前記一対の磁気ヘッドとこの磁気ヘッドに対して信号授受を行う演算部との間に介装された配線部材とを有する磁気ヘッド装置において、
前記配線部材は、可撓性のあるフィルムベースを有するフレキシブルプリント配線基板と、該フレキシブルプリント配線基板に電気的に接続され、かつフレキシブルプリント配線基板に一体化される剛性の基板部を有する汎用プリント配線基板とからなり、前記一対の磁気ヘッドのうちの一方の磁気ヘッドを保持するキャリッジの磁気ヘッド保持面と対向する面側に溝を形成し、該溝内に前記汎用プリント配線基板を配設して前記一方の磁気ヘッドと電気的に接続し、他方の磁気ヘッドは前記配線部材のフレキシブルプリント配線基板と電気的に接続してなることを特徴とする磁気ヘッド装置。
【請求項２】
前記フレキシブルプリント配線基板は、一つからなる構造であって、板状に延びる形状をなし、一端側が二股に分岐され、該二股のうち一方側に前記一対の磁気ヘッドのうち一方の磁気ヘッドに前記汎用プリント配線基板を介して接続する第１接続部を有し、該二股のうち他方側に前記一対の磁気ヘッドのうち他方の磁気ヘッドに接続する第２接続部を有し、他端側に前記演算部に接続する第３接続部を有し、前記第１接続部を前記汎用プリント配線基板に接続してなることを特徴とする請求項１記載の磁気ヘッド装置。
【請求項３】
前記汎用プリント配線基板は、剛性の基板部と該基板部上に形成された配線からなり、該配線は磁気ヘッドに対する入出力信号の伝達を行う主導電部と、該主導部を囲むようにパターン形成された囲み導電部からなり、該囲み導電部は接地されてなることを特徴とする請求項１又は２に記載の磁気ヘッド装置。
【請求項４】
前記汎用プリント配線基板は、剛性の基板部と該基板部の一面側に磁気ヘッドに対する入出力信号の伝達を行う主導電部を設け、該主導部を設けた面と対向する他面側には略全面にわたって導電部を設けてなることを特徴とする請求項１又は２に記載の磁気ヘッド装置。
【請求項５】
前記キャリッジは、磁気ヘッドをそれぞれ保持する上キャリッジ及び下キャリッジからなるキャリッジ体を含み、前記汎用プリント配線基板が下キャリッジの磁気ヘッド保持面と対向する面側に配設されてなり、かつ前記下キャリッジに磁気ヘッド保持面から磁気ヘッド保持面と対向する面に延びる孔を形成し、該孔に前記フレキシブルプリント配線基板の一部を通して当該一部を前記汎用プリント配線基板に接続することを特徴とする請求項１ないし４のいずれかに記載の磁気ヘッド装置。
【発明の詳細な説明】
【０００１】
【発明の属する技術分野】
本発明は、ハードディスク装置及びフロッピーディスク装置等の磁気ディスク装置に用いられる磁気ヘッド装置に関する。
【０００２】
【従来の技術】
従来の磁気ヘッド装置の一例として図５ないし図７に示すものがある。
図５及び図６において、磁気ヘッド装置を構成するヘッドキャリッジ組立体１は、磁気ディスク（図示省略）を挟持する一対の磁気ヘッド２を有している。以下、図５下側の磁気ヘッドを、適宜、下ヘッド２Ｄといい、下ヘッド２Ｄに対向する（図５で下ヘッド２Ｄに対し上側に配置されている）磁気ヘッド２を上ヘッド２Ｕという。
【０００３】
上ヘッド２Ｕ及び下ヘッド２Ｄは、それぞれキャリッジ３（適宜、上、下キャリッジ３Ｕ，３Ｄという。）に保持されている。上、下キャリッジ３Ｕ，３Ｄは、互いに位置決めして取り付けられておりキャリッジ体４を構成している。
上キャリッジ３Ｕは、略矩形状をなしており、その一面側には前記上ヘッド２Ｕがジンバル（以下、上ジンバルという）５Ｕを介して保持されている。上キャリッジ３Ｕの前記一面側を便宜上、上ヘッド取付面部３Ｕｓという。上キャリッジ３Ｕの上ヘッド取付面部３Ｕｓに対向する面部（以下、上ヘッド対向面部という）３Ｕｔには上ヘッド２Ｕに対向するように矩形のシールド用金属板（上シールド用金属板という。）６Ｕが設けられている。
【０００４】
下キャリッジ３Ｄは、略矩形の下キャリッジ本体部３Ｄ１と、下キャリッジ本体部３Ｄ１の一端側（図５左側）に垂設された所定高さの壁部３Ｄ２と、下キャリッジ本体部３Ｄ１の側部に下キャリッジ本体部３Ｄ１の長手方向に沿うように付設された四角柱状のガイド部３Ｄ３とから大略構成されている。ガイド部３Ｄ３には、ガイドシャフト７が挿通される孔８が形成されている。下キャリッジ３Ｄひいてはキャリッジ体４はガイドシャフト７に沿って前記磁気ディスクの径方向に移動するようになっている。
【０００５】
下キャリッジ３Ｄの一面側（壁部３Ｄ２が設けられた方の面部）で壁部３Ｄ２から離間する側（図５右側）の部分には前記下ヘッド２Ｄがジンバル（以下、下ジンバルという）５Ｄを介して保持されている。下キャリッジ３Ｄの前記一面側を便宜上、下ヘッド取付面部３Ｄｓという。下キャリッジ３Ｄの下ヘッド取付面部３Ｄｓに対向する面部（以下、下ヘッド対向面部という）３Ｄｔには下ヘッド２Ｄに対向するように矩形のシールド用金属板（下シールド用金属板という。）６Ｄが設けられている。
【０００６】
前記上キャリッジ３Ｕには、略矩形の弾性材料製の支持板９が取り付けられている。この支持板９は、図示しない固定手段により下キャリッジ３Ｄの壁部３Ｄ２の頂面部に固着されており、これにより前述したように上キャリッジ３Ｕと下キャリッジ３Ｄとが取り付けられたものになっている。そして、支持板９のばね力と図示しない押圧手段の押圧力との協働により、上ヘッド２Ｕ及び下ヘッド２Ｄが前記磁気ディスクを挟み付けるようにしている。
【０００７】
前記ヘッドキャリッジ組立体１（磁気ヘッド装置）が用いられる磁気ディスク装置には、上、下ヘッド２Ｕ，２Ｄに対して信号授受を行う制御基板（図示省略）等からなる演算部（図示省略）が設けられている。この演算部と上、下ヘッド２Ｕ，２Ｄとはフレキシブルプリント配線基板（以下、ＦＰＣという。）１０で電気的に接続されており、ＦＰＣ１０を介して上、下ヘッド２Ｕ，２Ｄに対する信号の入出力を行うようにしている。以下、便宜上、適宜、上ヘッド２Ｕと演算部とを接続するＦＰＣ１０を上ＦＰＣ１０Ｕといい、下ヘッド２Ｄと演算部とを接続するＦＰＣ１０を下ＦＰＣ１０Ｄという。
【０００８】
ＦＰＣ１０は、可撓性のある絶縁材料製のフィルムベース（図示省略）に、銅箔等の導電性部材（図示省略）を形成したものになっており、この導電性部材を介して演算部と上、下ヘッド２Ｕ，２Ｄとの信号授受を行うようにしている。この場合、ＦＰＣ１０は、定型の材料シート（フィルムベース）にパターン形成し（導電性部材を形成し）細断して製造するようにしている。
【０００９】
上ＦＰＣ１０Ｕは、図７に示すように、途中に屈曲部１１，１２を有する二つの辺部（以下、第１、第２の辺部という。）１３Ｕ，１４Ｕを有している。第１、第２の辺部１３Ｕ，１４Ｕは連接されており、屈曲部１１，１２を平坦にした状態で第１、第２の辺部１３Ｕ，１４Ｕにより略Ｌ字形をなすようになっている。第１の辺部１３Ｕの先端部は、上ヘッド２Ｕのコイル端子部（図示省略）に接続されるようになっている。第２の辺部１４Ｕの先端部には矩形の演算部用コネクタ１５Ｕが形成されており、この演算部用コネクタ１５Ｕが演算部に接続されるようになっている。
【００１０】
下ＦＰＣ１０Ｄは、上記上ヘッド２Ｕと同様に、途中に屈曲部１１，１２を有する二つの辺部（以下、第１、第２の辺部という。）１３Ｄ，１４Ｄを有している。第１、第２の辺部１３Ｄ，１４Ｄは連接されており、屈曲部１１，１２を平坦にした状態で第１、第２の辺部１３Ｄ，１４Ｄにより略Ｌ字形をなすようになっている。第１の辺部１３Ｄの先端部は、下ヘッド２Ｄのコイル端子部（図示省略）に接続されるようになっている。第２の辺部１４Ｄの先端部には矩形の演算部用コネクタ１５Ｄが形成されており、この演算部用コネクタ１５Ｄが演算部に接続されるようになっている。
【００１１】
上述した磁気ヘッド装置では、ガイドシャフト７に沿って磁気ディスクの径方向にキャリッジ体４が移動し、また、支持板９と図示しない押圧手段との協働により上ヘッド２Ｕ及び下ヘッド２Ｄが磁気ディスクを挟み付ける。また、上ヘッド２Ｕ及び下ヘッド２Ｄにより磁気ディスクに対して情報の読み書きを行う。そして、読み書きされた情報（読まれた情報及び書き込まれる情報）は、前記上、下ＦＰＣ１０Ｕ，１０Ｄを介して上、下ヘッド２Ｕ，２Ｄと演算部との間で授受される。
【００１２】
また、上キャリッジ３Ｕの上ヘッド対向面部３Ｕｔ及び下キャリッジ３Ｄの下ヘッド対向面部３Ｄｔには、それぞれ上シールド用金属板６Ｕ及び下シールド用金属板６Ｄを設けており、本磁気ヘッド装置が用いられる磁気ディスク装置に備えられる図示しないディスクスピンドルモータ、ＰＣ（パーソナルコンピュータ）に配設された電源部及び前記ＰＣに付随して設けられるディスプレイ等の磁力発生源からの外部ノイズが上、下ヘッド２Ｕ，２Ｄに流入することを遮断するようにしている。
【００１３】
上述した磁気ディスク装置は、ヘッドキャリッジ組立体１の製造工程によりヘッドキャリッジ組立体１を得た後、ヘッドキャリッジ組立体１及びディスクスピンドルモータ等の組付けを行う磁気ディスク装置組立工程において磁気ディスク装置を得るようにしている。
ヘッドキャリッジ組立体１の製造工程では、上キャリッジ３Ｕと下キャリッジ３Ｄとからキャリッジ体４を構成する場合、位置ずれしないように電気信号による調整、検査及び電気的特性の検査等を行う。磁気ディスク装置組立工程では、演算部に設けた図示しないコネクタに上ＦＰＣ１０Ｕの演算部用コネクタ１５Ｕ、下ＦＰＣ１０Ｄの演算部用コネクタ１５Ｄを抜き差しして、上ＦＰＣ１０Ｕ及び下ＦＰＣ１０Ｄの組付を行うようにしている。
【００１４】
ところで、近年、ＰＣ（パーソナルコンピュータ）の飛躍的な普及に伴い磁気ディスク装置の普及も目覚ましいものになっている。その磁気ディスク装置の普及と共に、磁気ヘッド装置のコストダウンの要求が高くなっている。また、ノートブック型コンピュータの普及に伴い、磁気ヘッド装置の小型化が望まれている。
【００１５】
上記磁気ヘッド装置のコストダウンの要望に対し、ＦＰＣ１０によるコストダウン化を図ることが考えられるが、このＦＰＣ１０は、上述したように定型の材料シート（フィルムベース）にパターン形成し細断する製造により得ており、材料シートのうち有効に使用されずに無駄になる部分が比較的多くなりやすい。このため、パターン形成コストに比して材料シートの使用効率が価格に大きく影響することとなり、ＦＰＣ１０による十分なコストダウン化を図ることは難しかった。
【００１６】
なお、上記材料シートの使用効率の向上を図るものとして、特開平９−１６７４５３号公報に示すものがある。以下、便宜上、前記図５ないし図７に示すものを従来例１といい、特開平９−１６７４５３号公報に示すものを従来例２という。従来例２は、略直線状になるように分割された第１の配線部材と第２の配線部材とを有し、第１の配線部材と第２の配線部材とを半田付けしてＦＰＣを構成している。そして、第１の配線部材と第２の配線部材とを略直線状とすることにより、材料シートから密に裁断し、材料シート当たりのＦＰＣの取り数を増加させて材料シートの使用効率の向上を図るようにしている。
【００１７】
従来例１では、検査装置や磁気ディスク装置への電気接続等を行うために、ＦＰＣ１０のコネクタの脱着を数回行う必要がある。そして、適正な接続を行うために注意深く接続しなければならず、その分、作業性が劣ったものになっていた。また、従来例１は、ＦＰＣとして上、下ＦＰＣ１０Ｕ，１０Ｄの二つのＦＰＣ１０を有しているので、脱着回数が多くなる上、適正な接続を行うために二つのＦＰＣ１０Ｕ，１０Ｄのコネクタの識別が必要となり、作業性の低下がその分、顕著なものになる。
【００１８】
ＦＰＣによる上述した作業性の低下に対処するものとして、実公平７−３４５５号公報に示すもの（以下、従来例３という。）がある。この従来例３は、二つの磁気ヘッド（例えば上、下ヘッド２Ｕ，２Ｄ）と演算部との接続のための二つのＦＰＣ（例えば上、下ＦＰＣ１０Ｕ，１０Ｄ）を一体化し、これによりコネクタの数を少なくし、ひいてはコネクタの脱着回数を低減し、かつ適正な接続を行うための二つのＦＰＣのコネクタの識別を不要とし作業性の向上を図るようにしている。
【００１９】
【発明が解決しようとする課題】
ところで、ＦＰＣは、高価であり、その使用量の低減を図ることが望まれている。しかしながら、従来例２では、ＦＰＣのキャリッジ体に対する使用量は低下せず、大幅なコストの削減は望めなかった。また、従来例２は、半田付け回数が増加して、その分作業性が低下するという問題点を有している。
【００２０】
従来例３は、二つのＦＰＣが一体化されているものの、ＦＰＣのキャリッジ体に対する使用量は低下せず、大幅なコストの削減は望めなかった。また、従来例３は、磁気ディスク装置の演算部の接続部分の削減が図れ、かつ二つのＦＰＣのコネクタの識別が不要となり、これにより作業性が向上するが、一体化された二つのＦＰＣ（例えば上、下ＦＰＣ１０Ｕ，１０Ｄ）は、全体として可撓性を有しており、ヘッドキャリッジ組立体１への組み込みを容易には行えず、その分、作業性は劣ったものになる。
【００２１】
本発明は、上記事情に鑑みてなされたもので、フレキシブルプリント配線基板の使用量を削減して低廉化が図れ、かつ良好な組付作業性を確保できる磁気ヘッド装置を提供することを目的とする。
【００２２】
【課題を解決するための手段】
請求項１記載の発明は、磁気ディスクを挟持する一対の磁気ヘッドと、該一対の磁気ヘッドをそれぞれ保持する一対のキャリッジと、前記一対の磁気ヘッドとこの磁気ヘッドに対して信号授受を行う演算部との間に介装された配線部材とを有する磁気ヘッド装置において、前記配線部材は、可撓性のあるフィルムベースを有するフレキシブルプリント配線基板と、該フレキシブルプリント配線基板に電気的に接続され、かつフレキシブルプリント配線基板に一体化される剛性の基板部を有する汎用プリント配線基板とからなり、前記一対の磁気ヘッドのうちの一方の磁気ヘッドを保持するキャリッジの磁気ヘッド保持面と対向する面側に溝を形成し、該溝内に前記汎用プリント配線基板を配設して前記一方の磁気ヘッドと電気的に接続し、他方の磁気ヘッドは前記配線部材のフレキシブルプリント配線基板と電気的に接続してなることを特徴とする。
【００２３】
請求項２記載の発明は、請求項１記載の構成において、前記フレキシブルプリント配線基板は、一つからなる構造であって、板状に延びる形状をなし、一端側が二股に分岐され、該二股のうち一方側に前記一対の磁気ヘッドのうち一方の磁気ヘッドに前記汎用プリント配線基板を介して接続する第１接続部を有し、該二股のうち他方側に前記一対の磁気ヘッドのうち他方の磁気ヘッドに接続する第２接続部を有し、他端側に前記演算部に接続する第３接続部を有し、前記第１接続部を前記汎用プリント配線基板に接続してなることを特徴とする。
【００２５】
請求項３記載の発明は、請求項１又は２に記載の構成において、前記汎用プリント配線基板は、剛性の基板部と該基板部上に形成された配線からなり、該配線は磁気ヘッドに対する入出力信号の伝達を行う主導電部と、該主導電部を囲むようにパターン形成された囲み導電部からなり、該囲み導電部は接地されてなることを特徴とする。
【００２６】
請求項４記載の発明は、請求項１又は２に記載の構成において、前記汎用プリント配線基板は、剛性の基板部と該基板部の一面側に磁気ヘッドに対する入出力信号の伝達を行う主導電部を設け、該主導電部を設けた面と対向する他面側には略全面にわたって導電部を設けてなることを特徴とする。
【００２７】
請求項５記載の発明は、請求項１ないし４のいずれかに記載の構成において、前記キャリッジは、磁気ヘッドをそれぞれ保持する上キャリッジ及び下キャリッジからなるキャリッジ体を含み、前記汎用プリント配線基板が下キャリッジの磁気ヘッド保持面と対向する面側に配設されてなり、かつ前記下キャリッジに磁気ヘッド保持面から磁気ヘッド保持面と対向する面に延びる孔を形成し、該孔に前記フレキシブルプリント配線基板の一部を通して当該一部を前記汎用プリント配線基板に接続することを特徴とする。
【００２８】
本発明は、上記構成により、配線部材が一つのフレキシブルプリント配線基板とこのフレキシブルプリント配線基板に比して廉価な汎用プリント配線基板とから構成される。
【００２９】
【発明の実施の形態】
以下、本発明の第１の実施の形態の磁気ヘッド装置を図１ないし図４に基づいて説明する。この磁気ヘッド装置は、図５ないし図７に示す磁気ヘッド装置に比して、上、下ＦＰＣ１０Ｕ，１０Ｄの二つのＦＰＣに代えて、配線部材として一つのＦＰＣ１０Ｋと、このＦＰＣ１０Ｋに一体化される剛性の基板部２０ａを有する汎用プリント配線基板（以下、ＰＣＢという。）２０を設けたことが主に異なっている。他の部材、部分は、図５ないし図７に示すものと同等であり、この同等の部材、部分については、同一の符号で示し、その説明は適宜、省略する。本実施の形態では、ＦＰＣ１０ＫとＰＣＢ２０とから配線部材２１を構成している。
【００３０】
ＦＰＣ１０Ｋは、図４に示すように、全体として、板状に延びる形状をなし、一端側（図４上側）が二股に分岐されている。以下、便宜上、二股に分岐する手前側（図４下側）の部分をＦＰＣ主部２２といい、二股のうち一方側を第１分岐部２３といい、二股のうち他方側を第２分岐部２４という。第１分岐部２３は、途中で屈曲して延びており先端側に矩形のＰＣＢ用コネクタ（第１接続部）２５を形成している。ＰＣＢ用コネクタ２５はＰＣＢ２０に図１に示すように接続されている。本実施の形態では、ＰＣＢ用コネクタ２５を含む第１分岐部２３が、請求項５のフレキシブルプリント配線基板の一部を構成する。
【００３１】
第２分岐部２４は、途中で屈曲して延びており先端側に矩形の上ヘッド用コネクタ（第２接続部）２６を形成している。上ヘッド用コネクタ２６は上ヘッド２Ｕのコイル端子部（図示省略）に接続されている。
【００３２】
ＦＰＣ１０ＫのＦＰＣ主部２２の先端部には、図１、図２及び図４に示すように矩形の演算部用コネクタ（第３接続部）２７が形成されている。演算部用コネクタ２７は、図示しない磁気ディスク装置に備える前記演算部のコネクタ（図示省略）に接続される。
【００３３】
下キャリッジ本体部３Ｄ１の下ヘッド対向面部３Ｄｔには、矩形の溝２８が形成されている。この溝２８内に、ＦＰＣ１０Ｋに比して廉価な前記ＰＣＢ２０が配置されている。また、下キャリッジ本体部３Ｄ１の壁部３Ｄ２の近傍には、下ヘッド取付面部３Ｄｓから下ヘッド対向面部３Ｄｔに延びる孔２９が形成されている。この孔２９には前記第１分岐部２３が挿通されており、下ヘッド対向面部３Ｄｔ側においてＰＣＢ用コネクタ２５がＰＣＢ２０に接続されている。
【００３４】
ＰＣＢ２０は、図１及び図３に示すように、剛性の矩形の基板部２０ａと、基板部２０ａ上にパターン形成されて、上、下ヘッド２Ｕ，２Ｄに対する入出力信号の伝達を行う複数条（本実施の形態では４条）の主導電部２０ｂと、主導電部２０ｂを囲むようにパターン形成された幅広で略口字形の囲み導電部２０ｃとからなり、囲み導電部２０ｃは接地されている。主導電部２０ｂ及び囲み導電部２０ｃは、導電性を有するものであり、請求項３の配線を構成している。主導電部２０ｂの一端側（図３左側、図１右側）は屈曲した形状になっており、当該部分によりランド部２０ｄが形成されている。ランド部２０ｄは次のように下ヘッド２Ｄと電気的に接続されている。すなわち、下キャリッジ本体部３Ｄ１の溝２８の底部及びＰＣＢ２０の基板部２０ａのランド部２０ｄ配置部分には、孔（図示省略）が形成され、この孔に導電線（図示省略）を挿通し、この導電線を介してランド部２０ｄと下ヘッド２Ｄとが接続されている。
【００３５】
主導電部２０ｂの他端側（図３右側、図１左側）にはＦＰＣ用ターミナル２０ｅが形成されている。ＦＰＣ用ターミナル２０ｅには、半田もしくは熱圧着等の手段によりＦＰＣ１０Ｋの第１分岐部２３のＰＣＢ用コネクタ２５が電気的に接続されている。
【００３６】
上述したヘッドキャリッジ組立体１の磁気ディスク装置への組み付けは、次のように行われる。
まず、上ヘッド２Ｕと下ヘッド２ＤのＲ／Ｗ用（読み出し／書き込み用）のトラック（図示省略）位置を調整した後に、上キャリッジ３Ｕと下キャリッジ３Ｄとを組み付けてキャリッジ体４を得るようにしている。そして、キャリッジ体４を用いて構成される前記ヘッドキャリッジ組立体１における上ヘッド２Ｕから延出したＦＰＣ１０Ｋの演算部用コネクタ２７を、磁気ディスク装置に備えられている演算部のコネクタ（図示省略）に接続してヘッドキャリッジ組立体１の磁気ディスク装置への組み付けを行う。
【００３７】
上述した図５ないし図７の従来技術（従来例１）では、上ＦＰＣ１０Ｕ及び下ＦＰＣ１０Ｄの二つのＦＰＣ１０，１０により配線部材を構成しており、比較的高価なものとなる。これに比して、上述したように構成した本実施の形態の磁気ヘッド装置（ヘッドキャリッジ組立体１）では、配線部材２１を一つのＦＰＣ１０ＫとＦＰＣ１０Ｋに比して廉価なＰＣＢ２０とから配線部材２１を構成している。このため、前記従来例１に比してコストダウンを図ることができる。
【００３８】
また、本実施の形態の磁気ヘッド装置（ヘッドキャリッジ組立体１）では、磁気ディスク装置の演算部への接続は、ＦＰＣ１０Ｋの演算部用コネクタ２７の一か所で行えばよく、前記従来例１で必要とされた多くの脱着が不要となり、簡易に演算部との接続を行え、その分、作業性を向上できる。
【００３９】
前記従来例２を用いて二つの磁気ヘッドを用いた磁気ヘッド装置を構成した場合、ＦＰＣのキャリッジ体に対する使用量は低下せず、コストの削減は望めない。これに対し、本実施の形態の磁気ヘッド装置（ヘッドキャリッジ組立体１）では、ＦＰＣ１０ＫとＰＣＢ２０とから配線部材２１を構成しており、ＰＣＢ２０を設けた分、ＦＰＣ１０Ｋのキャリッジ体４に対する使用量が少なくなり、これによりコストダウン化を図ることができる。
【００４０】
また、従来例２を用いて二つの磁気ヘッドを用いた磁気ヘッド装置を構成した場合、半田付け箇所が二か所（すなわち、第１、第２の二つの配線部材を半田付けして一つの磁気ヘッド用に一つの配線部材を得る従来例２に基づいて二つの磁気ヘッドを用いた磁気ヘッド装置を構成すると、半田付け箇所が一か所から倍加して二か所になる）となり、これにより半田付け回数が増加し、その分作業性が低下することになる。これに対して、本実施の形態の磁気ヘッド装置（ヘッドキャリッジ組立体１）では、ＦＰＣ１０ＫとＰＣＢ２０とから配線部材２１を構成し、この配線部材２１を用いて二つの磁気ヘッド（上、下ヘッド２Ｕ，２Ｄ）及び演算部の接続を行うようにしており、ＦＰＣ１０ＫとＰＣＢ２０との接続に半田付けを用いる場合にも一か所（ＰＣＢ用コネクタ２５及びＦＰＣ用ターミナル２０ｅの接合部）で済むことになり、その分、作業性の向上を図ることができる。
【００４１】
従来例３は、上述したように二つのＦＰＣを一体化しているものの、ＦＰＣのキャリッジ体に対する使用量は低下せず、大幅なコストの削減は望めなかった。これに対し、本実施の形態の磁気ヘッド装置（ヘッドキャリッジ組立体１）では、配線部材２１を一つのＦＰＣ１０ＫとＦＰＣ１０Ｋに比して廉価なＰＣＢ２０とから配線部材２１を構成している。このため、従来例３に比してコストダウンを図ることができる。
【００４２】
また、従来例３では、一体化された二つのＦＰＣは、全体として可撓性を有しており、ヘッドキャリッジ組立体１への組み込みを容易には行えず、その分、作業性は劣ったものになる。これに対し、本実施の形態の磁気ヘッド装置（ヘッドキャリッジ組立体１）では、配線部材２１の磁気ディスク装置への接続は、演算部用コネクタ２７の一か所で済むことになり、仮に当該部分が撓んだとしてもその撓みを容易に抑えることが可能になり、これにより組付を容易に行えることになる。
【００４３】
また、下キャリッジ３Ｄに下ヘッド取付面部３Ｄｓ（磁気ヘッド保持面）から下ヘッド対向面部３Ｄｔ（磁気ヘッド保持面と対向する面）に延びる孔２９を形成し、該孔２９に挿通してＰＣＢ用コネクタ２５（第１接続部）をＰＣＢ２０のＦＰＣ用ターミナル２０ｅに接続するので、下ヘッド取付面部３Ｄｓ（磁気ヘッド保持面）から下ヘッド対向面部３Ｄｔ（磁気ヘッド保持面と対向する面）に達するまでに要するＦＰＣ１０Ｋの量を必要最小限に抑えることが可能となり、コストダウンを図ることができる。
【００４４】
なお、特開平９−２６５６０６号公報には、一つの磁気ヘッドを対象にし、配線部材を、ＦＰＣとこのＦＰＣに比して廉価なケーブル（Ｆｌｅｘｉｂｌｅ  Ｆｌａｔ  Ｃａｂｌｅ  。以下、ＦＦＣという。）とから構成する装置（以下、従来例４という。）が示されている。そして、この従来例４を二つの磁気ヘッドに適用することが考えられる。しかし、この場合、ＦＰＣとＦＦＣと接続箇所が全体として二か所必要となることから、上述した従来例２の場合と同様にして接続箇所（例えば半田箇所）が多くなり、作業性が劣ったものになる。
また、磁気ディスク装置においてヘッドキャリッジ組立体１が磁気ディスクの上を反復移動することで情報の磁気ディスクへの書き込み、および読み込みを行うが、ヘッドキャリッジ組立体１から延出している、上ＦＰＣ１０Ｕの第２の辺部１４Ｕ及び下ＦＰＣ１０Ｄの第２の辺部１４Ｄが可撓性を持っているため、ヘッドキャリッジ組立体１をスムーズに移動することが可能となり、これにより精度高い移動を行うことができる。これに対し、従来例４のＦＦＣはＦＰＣに比して可撓性が劣る材料製であり、ヘッドキャリッジ組立体のスムーズな移動が抑制されてしまうことになる。
【００４５】
主導電部２０ｂを囲むように囲み導電部２０ｃを設けており、本磁気ヘッド装置が用いられる磁気ディスク装置に備えられる図示しないディスクスピンドルモータ、ＰＣ（パーソナルコンピュータ）に配設された電源部及び前記ＰＣに付随して設けられるディスプレイ等の磁力発生源からの外部ノイズが下ヘッド２Ｄに流入することを遮断する。このため、従来例１で用いた下シールド用金属板６Ｄを削除することができる。この分、装置全体のコストダウンを図ることができる。
【００４６】
上記実施の形態では、主導電部２０ｂを囲むように囲み導電部２０ｃを設けた場合を例にしたが、これに代えて、ＰＣＢ２０の基板部２０ａにおける主導電部２０ｂを設けた面（図３上側）に対向する面（図３下側）略全面にわたって導電部（以下、対向導電部という。）を設けるようにしてもよい。この対向導電部が下ヘッド２Ｄが対向配置されることになり、これにより下ヘッド２Ｄへの外部ノイズの流入が遮断される。このため、従来例１で用いた下シールド用金属板６Ｄを削除してコストダウンを図ることができる。
【００４７】
下キャリッジ本体部３Ｄ１の下ヘッド対向面部３Ｄｔに溝２８を形成し、この溝２８にＰＣＢ２０を配置するので、下キャリッジ本体部３Ｄ１からのＰＣＢ２０の突出量を抑えられ、これによりヘッドキャリッジ組立体１の厚さ寸法（図１上下方向の寸法）が小さくなり、その分、装置のコンパクト化を図ることができる。
【００４８】
なお、下キャリッジ本体部３Ｄ１の下ヘッド対向面部３Ｄｔに溝２８を形成せずに、下ヘッド対向面部３Ｄｔに直接にＰＣＢ２０を取り付けるようにしてもよい。このように構成することにより、溝形成工程が不要となり、作業性が向上する。
また、上述したように下ヘッド対向面部３ＤｔにＰＣＢ２０を取付るのに代えて、下ヘッド取付面部３ＤｓにＰＣＢ２０を取付るようにしてもよい。この場合、下ヘッド対向面部３Ｄｔに溝を形成し、この溝にＰＣＢ２０を取付るようにしてもよい。
【００４９】
【発明の効果】
請求項１記載の発明は、配線部材を一つのフレキシブルプリント配線基板とこのフレキシブルプリント配線基板に比して廉価な汎用プリント配線基板とから構成しているので、配線部材全体をフレキシブルプリント配線基板で構成する場合に比してコストダウンを図ることができる。また、一つのフレキシブルプリント配線基板及び汎用プリント配線基板から一つの配線部材を構成しており、二つの配線部材を用いる従来技術に比して、組付け作業性を向上できる。
さらに、請求項１記載の発明は、磁気ヘッド保持面と対向する面側に溝を形成し、この溝に汎用プリント配線基板を配置するので、キャリッジからの汎用プリント配線基板の突出量を抑えられ、これにより装置の厚さ寸法の縮小、ひいては装置のコンパクト化を図ることができる。
【００５０】
請求項２記載の発明によれば、２つの磁気ヘッドに対してそれぞれフレキシブルプリント配線基板を設ける場合に比して、半田付け箇所の数の削減を図ることが可能となる。
【００５２】
請求項３記載の発明によれば、磁気ヘッドに対する入出力信号の伝達を行う主導電部を囲むように囲み導電部を設けており、磁気ヘッドへの外部ノイズの流入を防止できる。
【００５３】
請求項４記載の発明によれば、主導電部を設けた面と対向する他面側には略全面にわたって導電部（対向導電部）を設けており、当該対向導電部により磁気ヘッドへの外部ノイズの流入を遮断できる。
【００５４】
請求項５記載の発明によれば、下キャリッジに磁気ヘッド保持面から磁気ヘッド保持面と対向する面に延びる孔を形成し、該孔に前記フレキシブルプリント配線基板の一部を通して当該一部を汎用プリント配線基板に接続するので、磁気ヘッド保持面から磁気ヘッド保持面と対向する面に達するまでに要するフレキシブルプリント配線基板の量を必要最小限に抑えられ、また、コストダウンを図ることができる。
【図面の簡単な説明】
【図１】本発明の第１の実施の形態の磁気ヘッド装置を構成するヘッドキャリッジ組立体を示す斜視図である。
【図２】図１に比して向きを変えた状態のヘッドキャリッジ組立体を示す斜視図である。
【図３】図１及び図２のヘッドキャリッジ組立体に用いられる汎用プリント配線基板を示す斜視図である。
【図４】図１及び図２のヘッドキャリッジ組立体に用いられるフレキシブルプリント配線基板を模式的に示す斜視図である。
【図５】従来の磁気ヘッド装置を構成するヘッドキャリッジ組立体の一例を示す斜視図である。
【図６】図５に比して向きを変えた状態のヘッドキャリッジ組立体を示す斜視図である。
【図７】図６のヘッドキャリッジ組立体に用いられるフレキシブルプリント配線基板を示す斜視図である。
【符号の説明】
１        ヘッドキャリッジ組立体（磁気ヘッド装置）
２Ｕ      上ヘッド（他方の磁気ヘッド）
２Ｄ      下ヘッド（一方の磁気ヘッド）
１０Ｋ    ＦＰＣ（フレキシブルプリント配線基板）
２０      ＰＣＢ（汎用プリント配線基板）
２０ｂ    主導電部
２０Ｃ    囲み導電部
２１      配線部材
２５      ＰＣＢ用コネクタ（第１接続部）
２６      上ヘッド用コネクタ（第２接続部）
２７      演算部用コネクタ（第３接続部）
２８      溝
【図１】
0003579861.tif 000002
【図２】
0003579861.tif 000003
【図３】
0003579861.tif 000004
【図４】
0003579861.tif 000005
【図５】
0003579861.tif 000006
【図６】
0003579861.tif 000007
【図７】
0003579861.tif 000008